(57)【要約】      （修正有）【課題】スチーム洗浄用に交換することができるスチームアイロンに応用されるスチームの交換接続構造を提供する。【解決手段】スチームアイロンは加熱してアイロンとして使用する底板部１１と少なくとも１つの蒸気孔１２からなり、スチームの交換接続構造は、交換接続台２１と交換接続台に取付ける少なくとも１つのクリーナー２２からなる。交換接続台はスチームアイロンの底板部の位置を覆う保護部２１１と、蒸気孔と連通して蒸気孔から排出されるスチームをガイドするスチームガイド部２１２からなる。クリーナーはスチームガイド部に連通するスチームチャネルと、スチームチャネルに開設したスチームの交換接続孔２２２を含み、スチームアイロンから生じたスチームがスチームガイド部からスチームの交換接続孔に送られて排出され、物体のクリーン作用をなす。【選択図】図２
0003150459.tif 000002
【実用新案登録請求の範囲】
【請求項１】
スチーム洗浄用に交換することができるスチームアイロンに応用されるスチームの交換接続構造であって、
前記スチームアイロン１０は加熱してアイロンとして使用する底板部１１と、前記スチームアイロン１０から発生するスチームを送る少なくとも２つの蒸気孔１２と、前記スチームアイロン１０から発生するスチームが前記蒸気孔１２から送り出されるのを決定するための切換ユニット１７を少なくとも含み、
前記スチームの交換接続構造は、
前記スチームアイロン１０に取付ける交換接続台２１であって、前記スチームアイロン１０の底板部１１の位置を覆う保護部２１１と、前記蒸気孔１２と連通するスチームガイド部２１２からなるものと、
前記交換接続台２１に取付ける少なくとも１つのクリーナー２２であって、前記スチームガイド部２１２に連通するスチームチャネル２２１と、前記スチームチャネル２２１に開設したスチームの交換接続孔２２２を含むものと、
からなり、前記スチームアイロン１０から発生するスチームは、前記スチームガイド部２１２から前記スチームの交換接続孔２２２に送られて排出され、物体のクリーン作用をなすことを特徴とするスチームの交換接続構造。
【請求項２】
前記交換接続台２１と前記クリーナー２２は固着関係を構成する第１接合部２１８と第２接合部２２３を対応するように設け、また前記スチームガイド部２１２は前記蒸気孔１２と接続する接続端２１３並びに前記接続端２１３と前記スチームチャネル２２１の間に設置した加圧ルーム２１４を含み、前記スチームアイロン１０は２つの固定スロット１３を有し、前記交換接続台２１は前記固定スロット１３に対応するように２つの固定凸部２１６を設け、且つ前記スチームアイロン１０と前記交換接続台２１はさらにそれぞれ互いに対応する係止部材１４とフック部材２１７を具備し、前記スチームアイロン１０はさらに第１延伸バー１６に挿設する接続溝１５を具備することを特徴とする請求項１に記載するスチームの交換接続構造。
【請求項３】
前記スチームアイロン１０には第１台座３０に設置して接続パイプ３１を経由して前記チームアイロン１０と連通する貯水ユニット１８を配置し、前記第１台座３０はさらに前記スチームアイロン１０を収納する第１収納スペース３２を具備し、前記第１収納スペース３２は前記第１台座３０のオープン式カバー体３２１と台座部３２２で形成され、前記スチームアイロン１０はさらに第１台座３０を収納する第２台座４０を有し、前記第２台座４０は第１台座３０を収納する第２収納スペース４１と少なくとも１つの移動ホイール４３を含むと共に、前記交換接続台２１とクリーナー２２を収納する貯蔵スペース４２を具備し、前記第２台座４０はさらに支持部材４４と前記支持部材４４に取付けた第２延伸バー４５を有し、前記第２延伸バー４５の他端は載置部４６を有し、前記載置部４６は前記スチームアイロン１０を載置するための固定フレーム４６１と前記載置部４６上に枢設したランドリーポール４６２からなり、且つ前記第２台座４０は前記支持部材４４を設けた上昇部４７をさらに具備し、前記上昇部４７は可動支柱４７１と前記可動支柱４７１を固定するための固定凹溝４７２を含むことを特徴とする請求項１又は２に記載するスチームの交換接続構造。
【請求項４】
スチーム洗浄用に交換することができるスチームアイロンに応用されるスチームの交換接続構造であって、
前記スチームアイロンは加熱してアイロンとして使用する底板部と、少なくとも１つの蒸気孔を備え、前記交換接続構造は、交換接続台と交換接続台に取付ける少なくとも１つのクリーナーからなり、前記交換接続台は前記スチームアイロンの底板部の位置を覆う保護部と、蒸気孔と連通して蒸気孔から排出されるスチームをガイドするスチームガイド部からなり、クリーナーはスチームガイド部に連通するスチームチャネルと、スチームチャネルに開設したスチームの交換接続孔を含み、スチームアイロンから生じたスチームがスチームガイド部からスチームの交換接続孔に送られて排出されることを特徴とするスチームの交換接続構造。
【考案の詳細な説明】
【技術分野】
【０００１】
本考案はスチームの交換接続構造に関し、特にスチームの交換接続構造でスチームクリーナーの用途に転換できるスチームの交換接続構造に関する。
【背景技術】
【０００２】
スチームアイロンは、熱を利用して衣類や布上の皺を除去する装置で、広く家庭内や商業用として応用される。スチームアイロンは衣類をのばすと同時に蒸気を吹き出し、旧式のアイロンと比べると、別に霧吹きをする必要がなく、また、噴出した蒸気はアイロンの高温が衣類を傷めるのを防ぐ役割も果たす。このほか、衣類の繊維内に散布される蒸気は、アイロンの熱をすばやく繊維内に浸透させ、均等に熱を与え、繊維の配列方式を整え直し、所望の型にするという目的を達成する。一般的なスチームアイロンは、米国特許第ＵＳ６，９３５，０５６号や第ＵＳ６，４３８，８７６号、第ＵＳ６，０７９，１３３号、第ＵＳ５，６４２，５７９号、第ＵＳ２００７０１０２４１４号で示すように、全てアイロン本体の中に蒸気ルームが設置され蒸気を生産し、作り出された蒸気を少なくとも一つの蒸気送出穴に送ることで、アイロンをかける衣類に送り出される。
【０００３】
蒸気の利用は、上記のスチームアイロン以外に、衣類または布の皺をのばすことに使用されるほか、スチームクリーナーなど、汗の除去にも用いられる。一般的なスチームクリーニングは、携帯式スチームクリーナーと分離式スチームクリーナーに分けられる。携帯式スチームクリーナーは、堆積が小さく使用に便利で、米国第ＵＳ６，５３６，３７９号、第ＵＳ６，４９０，７５３号及び第ＵＳ６，４８４，３４７号特許のように、貯水ルームを本体内に設置し、ポンプを利用して貯水ルーム内の水を加熱装置上まで送り、蒸発する蒸気を加熱し、ノズルを使って送出するものを指す。分離式スチームクリーナーは、米国第ＵＳ６，８７７，１８３号特許で示すように、体積は携帯式スチームクリーナーと比べて大きく、主に貯水ルームと加熱装置を分けて主機及びクリーナーの中に設置し、その中で屈折性のある導管との相互のつながりを利用して、貯水ルームの水は導管を通じて上記加熱裝置の中に送出され蒸気を形成し、クリーナーの蒸気噴孔によって排出される。上記スチームクリーナーを利用して生産された高温蒸気は、化学薬剤を添加する必要がなく、効率的に衣類の表面の油分と汚れを除去することができる。このため、環境汚染を生みださず、人体にも無害であるなどの優れた点があり、スチームクリーナーは広く使用されている。
【０００４】
しかし、同様に蒸気を使用するといっても、用法が異なるため、異なる装置を使用しなければならず、利便性においても経済性においても非常に不適当である。従来アメリカＵＳ７，０５１，４６２号及び第ＵＳ６，７１１，８４０号特許は、スチームクリーナーとスチームアイロンを組み合わせ、主機上に設置され蒸気生成ユニットを有し、蒸気生成ユニットやスチームアイロンユニットと相互に結合するという選択もでき、上記蒸気洗浄ユニットや上記スチームアイロンユニットは蒸気生成ユニットを利用して生産した蒸気を洗浄やアイロンかけに使用する。しかし、上記これら従来技術が蒸気を送出するには必ず導管を通らなければならず、導管内の蒸気が凝結して水になったり、含水量の高い低品質の蒸気になったり、衣類が湿気を帯びることがある。上記蒸気生成ユニットやスチームアイロンユニットはそれぞれ独立した部材で、体積が大きいため、形態や移動に不便で、狭い場所に収納したい場合、環境が雑然としたり、整理しにくいという問題に直面する可能性がある。
【先行技術文献】
【特許文献】
【０００５】
【特許文献１】米国特許第６，５３６，３７９号公報
【特許文献２】米国特許第６，４９０，７５３号公報
【特許文献３】米国特許第６，４８４，３４７号公報
【特許文献４】米国特許第６，８７７，１８３号公報
【特許文献５】米国特許第７，０５１，４６２号公報
【特許文献６】米国特許第６，７１１，８４０号公報
【考案の概要】
【考案が解決しようとする課題】
【０００６】
本考案の主要目的は、一つのスチームアイロンで使用者の異なる需要に応じて、衣類にアイロンをかけたり、または汗を除去したりできる機能を有することである。上記の目的を達成するために、本考案は、スチームの接続構造を提供し、スチームアイロンに応用され、スチーム洗浄の使用にも転換できる。上記スチームアイロンは少なくとも考案が提供する蒸気転換接続構造は、スチームアイロンをスチームクリーナーの用途に転換することに応用可能であり、上記スチームアイロンは少なくとも一つのアイロンとして使用される底板部及び蒸気孔を含み、上記スチーム交換接続構造は、交換接続台及び少なくとも一つの上記交換接続台上に設置されるクリーナーを含む。上記交換接続台は、上記スチームアイロンの底板部位置を覆う保護部、上記蒸気孔と相互につながり上記蒸気孔が排出する蒸気を導く蒸気導引部を含む。上記クリーナーは上記蒸気導引部と相互につながるスチームチャネル、及び上記スチームチャネルの上に設備されるスチームの交換接続孔を含み、上記スチームアイロンが生産する蒸気は上記蒸気導引部を通じて上記スチームの交換接続孔まで送出され、排出され、洗浄に使用される。そのうち、上記交換接続台と上記クリーナーは一体の形を成し、また上記交換接続台と上記クリーナーは、固定関係を構成する第一接合部及び第二接合部に相互に対応することができ、再び分解、組み立てができる。上記交換接続台の蒸気導引部は更に上記蒸気孔と相互につながる接設端、及び上記接設端と上記スチームチャネルの間に設置される加圧ルームを含み、スチームの交換接続孔が蒸気を排出する力を高める。
【０００７】
本考案のもう一つの目的は、上記のスチームの交換接続構造を有するスチームアイロンに、便利に収納且つ移動できる能力を兼ね備えることである。上記目的の達成のため、本考案は第一台座を有し、上記第一台座は上記アイロン本体につながる貯水ユニット及び上記スチームアイロンの設置を提供する第一収納スペースを有する。そのうち、上記第一台座にはベルトが設置され、使用者が携帯して使用するのに役立つ。このほか、上記第一台座は第二台座に設置され、上記第二台座は上記第一台座を設置する第二収納スペースを含み、上記交換接続台とクリーナー收納の貯蔵スペース及び少なくとも一つの移動タイヤを提供する。
【課題を解決するための手段】
【０００８】
本考案スチーム交換接続構造は、一つのスチームアイロンに、同時にスチームアイロンとスチームクリーナーの機能を持たせ、またスチームクリーニングをする際、洗浄方法の違いによって異なるクリーナーを選び、上記交換接続台を相互に接続することができる。このように、スチームアイロンの用途を大幅に増加させ、使用者は衣類にアイロンをかけたり、または衣類を洗浄するために別々にスチームアイロン及びスチームクリーナーを購入する必要がなく、経済的効果や利益を満足させるばかりでなく、便利で、複雑な組み立て過程をふまなくてもよい。このほか、本考案は收納空間を有し、携帯と収納に便利である。
【図面の簡単な説明】
【０００９】
【図１】本考案の比較的好ましい実施例を、スチームアイロンとしての使用に組み合わせた外観立体概略図である。
【図２】本考案の比較的好ましい実施例を、スチームアイロン用に組合せた外観分解概略図である。
【図３】本考案の比較的好ましい実施例を、スチームアイロン用に組合せた断面概略図。
【図４】Ａは、本考案をスクレーパー形態のクリーナー実施例に組合せた外観立体図であり、Ｂは本考案をスクレーパー形態のクリーナー実施例に組合せた部分断面概略図である。
【図５】Ａは本考案を長形板形態のクリーナー実施例に組み合わせた外観立体図であり、Ｂは下方からの同立体図であり、ＣはＢの部分拡大概略図である。
【図６】本考案を使用したスチームアイロンを、第一延伸バーに組合せた実施例の外観立体概略図である。
【図７】本考案を貯水ユニットを外部に設置した上記スチームアイロンに応用し、第一台座と第二台座に組み合わせた実施例の外観分解概略図である。
【図８】本考案の垂直スチームクリーナーの使用状態を表す概略図である。
【考案を実施するための形態】
【００１０】
（実施例）
本考案に関する詳細な説明及び技術内容は、図式と合わせて以下に説明する。「図１」、「図２」及び「図３」は、本考案の比較的好ましい実施例をスチームアイロン用に組合せた外観立体図、外観分解図及び断面図である。本考案は、スチーム交換接続構造２０のためのもので、スチームアイロン１０に応用され、それをスチームクリーナーとしての使用にも転換できるようにし、上記スチームアイロン１０は、加熱してアイロンとして使用できる底板部１１、及び少なくとも一つの蒸気孔１２を含み、また上記スチーム交換接続構造２０は、交換接続台２１及び上記交換接続台２１の上に取り付けられるクリーナー２２を含む。上記交換接続台２１は上記スチームアイロン１０の上に取り付けられ、上記スチームアイロン１０の底板部１１位置を覆う保護部２１１、上記蒸気孔１２と相互につながり上記蒸気孔１２が排出する蒸気を導く蒸気導引部２１２を含み、上記保護部２１１はスチームアイロン１０の底板部１１を使用者が接触する可能性から隔離するもので、使用者が不注意で接触した場合のやけどなどを回避するものである。上記保護部２１１の断熱效果を高めるために、上記保護部２１１の上に更に隔熱層を増やすことができる。上記クリーナー２２は上記蒸気導引部２１２と相互につながるスチームチャネル２２１、及び上記スチームチャネル２２１の上に設置されるスチームの交換接続孔２２２を含み、上記スチームアイロン１０が生成する蒸気は上記蒸気導引部２１２を通じて上記スチームの交換接続孔２２２まで送出されて排出され、洗浄に使用される。そのうち、上記蒸気導引部２１２は上記蒸気孔１２と相互につながる接設端２１３、及び上記接設端２１３と上記スチームチャネル２２１の間に設置される加圧ルーム２１４を含み、蒸気孔１２から排出された蒸気は、上記加圧ルーム２１４を通って高圧蒸気を保持しつつ上記スチームの交換接続孔２２２へ送出される。
【００１１】
本考案スチーム交換接続構造２０と上記スチームアイロン１０を相互にしっかりと接続させ、使用過程で抜け落ちや分離が発生して、使用者がやけどする等の危険を防ぐために、上記スチームアイロン１０は二つの固定スロット１３を有し、上記交換接続台２１は相互に上記固定スロット１３に対応し、二つの固定凸部２１６を有し、上記スチームアイロン１０は上記固定スロット１３を利用して上記固定凸部２１６に滑り入れて、上記交換接続台２１と相互に結合する。また、上記スチームアイロン１０と上記交換接続台２１は更にそれぞれ相互に対応する係止部材１４とフック部材２１７を有し、それによって上記交換接続台２１をしっかりと上記スチームアイロン１０上に固定させ、弛緩且つ脱落等によって発生する危険を回避する。
【００１２】
本考案は、少なくとも一つの蒸気孔１２を有するスチームアイロン１０に適用され、本実施例において、「図１」及び「図２」で示すように、上記スチームアイロン１０は２以上の蒸気孔１２を有し、蒸気孔１２はそれぞれ上記底板部１１の上に設置され、衣類のアイロンかけに使用されたり、スチームアイロン１０の前に柱状の高圧蒸気を噴出することに使用され、使用者は容易に二種類の蒸気孔１２を切り替えることができ、更に上記スチームアイロン１０は上記スチームアイロン１０が生成する蒸気が異なる蒸気孔１２に送出されることを決定する切換ユニット１７を有する。
【００１３】
本考案スチーム交換接続構造２０において、上記交換接続台２１と上記クリーナー２２は一体を成した後、スチームアイロン１０の蒸気送出モデルを転換させ、また上記交換接続台２１と上記クリーナー２２は相互に分離でき、使用者は異なるクリーナー２２を選択して上記交換接続台２１に取り付け、上記スチームアイロン１０は多種多様な蒸気送出形態を有することができる。本実施例中において、「図２」及び「図３」で示すように、上記交換接続台２１と上記クリーナー２２は相互に分離でき、上記交換接続台２１と上記クリーナー２２は相互に固定関係を構成する第一接合部２１８及び第二接合部２２３に対応する。上記クリーナー２２は多種多様な形式で使用することを選択でき、「図２」及び「図３」で示すように、上記クリーナー２２はノズル形態を成し、上記スチームアイロン１０の蒸気孔１２が排出する蒸気は、上記蒸気導引部２１２を通じて上記クリーナー２２の中に送出され、上記スチームチャネル２２１は狭い管路を成し、蒸気を柱状に強力に上記スチームの交換接続孔２２２に噴出させ、物体上の汚れを集中して洗浄する。「図４」のＡ及び「図４」のＢで示すように、上記クリーナー２２ａは、スクレーパー形態を呈し、上記スチームの交換接続孔２２２が蒸気を噴出且つ洗浄した後、スクレーパー２２４を使用して、上記スクレーパー２２４の範囲の汚れを削り落す。また「図５」のＡ、「図５」のＢ、「図５」のＣで示すように、上記クリーナー２２ｂは長形板形態を成し、前述の第二接合部２２３、スチームチャネル２２１及びスチームの交換接続孔２２２以外に、更にパレット本体２２５、及び上記パレット本体２２５の底部に設置され上記スチームの交換接続孔２２２と相互に通じるスチーム層２２６を含み、上記スチーム層２２６は蒸気が接触する面積を拡大し、床板、壁などの広い範囲の洗浄に応用できる。以上クリーナー２２、２２ａ、２２ｂの形態は可能な実施例のみであり、本考案においては特別な限定はなく、上記交換接続台２１と相互につながるクリーナー２２、２２ａ、２２ｂは全て本考案の保護範囲に属する。このほか、使用者の操作に役立つように、「図６」で示すように、上記スチームアイロン１０は接続溝１５を有し、上記接続溝１５は第一延伸バー１６を挿入可能であり、長形板形態のクリーナー２２ｂを例にすると、使用者は上記第一延伸バー１６を操作し、上記クリーナー２２ｂを有するスチームアイロン１０でモップのような動作を行うことができる。
【００１４】
また、上記スチームアイロン１０には貯水ユニット１８が配置され、上記貯水ユニット１８は上記スチームアイロン１０を中に、または上記スチームアイロン１０の外部に配置することができ、また上記スチームアイロン１０と相互につながる。使用者がスムーズに携帯及び收納できるように、本考案は貯水ユニット１８を外部に設置される上記スチームアイロン１０に応用可能であり、「図７」で示すように、上記貯水ユニット１８は第一台座３０の中に設置され、上記貯水ユニット１８は吸入口１８１を有し、外からの水はすべて上記貯水ユニット１８の中に入る。上記貯水ユニット１８は導接管３１と上記スチームアイロン１０が相互につながることを利用し、上記第一台座３０は更に上記スチームアイロン１０を設置する第一収納スペース３２を有し、上記第一収納スペース３２は、オープン式カバー体３２１及び台座部３２２によって形成され、上記台座部３２２の中には更に隔熱層を設置でき、それによって上記スチームアイロン１０の底板部１１の熱が上記第一台座３０の結構を破壊するのを防止する。上記スチームアイロン１０を使用する必要がない場合には、上記オープン式カバー体３２１を開けた後、上記スチームアイロン１０を上記台座部３２２の中に設置し、再び上記オープン式カバー体３２１を閉め、上記スチームアイロン１０を上記第一収納スペース３２の中に固定することができる。このほか、貯水ユニット１８を上記スチームアイロン１０の外部に設置すると使用者が携帯して使用することができ、上記第一台座３０の上には更に使用者が背負うベルト３３がある。
【００１５】
本考案は更に、上記部品の収納に役立ち、また移動に適した機能を提供する。「図７」で示すように、本考案が合わせて提供する上記第一台座３０が設置される第二台座４０の実施例の外観分解概略図で、以下に図を示す。本考案は更に第二台座４０を有し、上記第一台座３０はその中に設置され、上記第二台座４０は上記第一台座３０が設置される第２収納スペース４１を含み、上記交換接続台２１とクリーナー２２の收納貯蔵スペース４２及び少なくとも一つの移動ホイール４３を提供する。このように、上記第一台座３０及び上記クリーナー２２は簡単に上記第二台座４０の中に収納でき、部品が多いからといって雑然とすることはない。上記移動ホイール４３は更に使用者がスムーズに本考案と組み合わせて移動でき、使用者は持ち運ぶ際の手間を省くことができる。
【００１６】
このほか、本考案は更に上記スチームアイロン１０を垂直スチームクリーナーとして使用することができ、「図８」で示すように、これは本考案が垂直スチームクリーナーの使用状態を表す概略図だが、上記第二台座４０には支持部材４４が配置され、及び上記支持部材４４の上の第二延伸バー４５に設置され、上記第二延伸バー４５のもう片方には載置部４６が設置され、上記スチームアイロン１０を乗せるのに使用する固定フレーム４６１、及び上記載置部４６上に設置されたランドリーポール４６２を含む。上記第二延伸バー４５は、上記スチームアイロン１０の操作に用いられる第一延伸バー１６と同様に部材となることができる。上記第二延伸バー４５が上記第二台座４０の支持部材４４の上に架設され、またセットで上記載置部４６を組合せておき、垂直な衣類掛けを形成でき、また上記ランドリーポール４６２は衣類をつるし、スムーズにスチームクリーンを行うことができる。このほか、「図７」及び「図８」で示すように、上記第二台座４０の支持部材４４は更に上昇部４７の上に設置され、上記上昇部４７は可動支柱４７１、及び上記可動支柱４７１を固定する固定凹溝４７２を含む。本実施例において、上記上昇部４７の一端は上記第二台座４０の上を回動し、上記上昇部４７が好みの位置まで回転して上昇するとき、上記可動支柱４７１を利用して上記固定凹溝４７２の中に結合し、上記上昇部４７の位置を固定することができる。このように、上記上昇部４７の位置を調整することによって、上記第二延伸バー４５で必要な長さを減少させることができる。
【００１７】
つまり、本考案は、スチーム交換接続構造２０によって、一つのスチームアイロン１０を使用者の需要に合わせて衣類のアイロンとしてやスチームクリーナーとして使用する機能を有し、上記スチーム交換接続構造２０を上記スチームアイロン１０の上に設置するだけで、簡単にこの目的を達成できる。このほか、本考案の收納が環境の乱雑を招かないために、上記スチームアイロン１０、上記交換接続台２１と上記クリーナー２２は上記第一台座３０と上記第二台座４０の中に収納でき、部品が散らばるのを防ぎ、環境の整頓を図ることができる。また、上記第一台座３０上に設置されるベルト３３及び上記第二台座４０上に設置される移動ホイール４３により、本考案は相当な移動能力を有し、使用者が持ち運んだり携帯したりするのに役立つ。
【００１８】
上記内容は、本考案の好ましい実施例に過ぎず、本考案の実用新案登録出願を限定するものではないため、本考案で開示した趣旨を逸脱しないで完成された等価変更若しくは補正は、全て実用新案登録出願の範囲内に含まれるものとする。
【符号の説明】
【００１９】
１０    スチームアイロン
１１    底板部
１２    蒸気孔
１３    固定スロット
１４    係止部材
１５    接続溝
１６    第１延伸バー
１７    切換ユニット
１８    貯水ユニット
２０    スチームの交換接続構造
２１    交換接続台
２１１  保護部
２１２  スチームガイド部
２１３  接続端
２１４  加圧ルーム
２１６  固定凸部
２１７  フック部材
２１８  第１接合部
２２    クリーナー
２２１  スチームチャネル
２２２  スチームの交換接続孔
２２３  第２接合部
２２４  スクレーパー
２２５  パレット本体
２２６  スチーム槽
３０    第１台座
３１    接続パイプ
３２    第１収納スペース
３２１  オープン式カバー体
３２２  台座部
３３    ベルト
４０    第２台座
４１    第２収納スペース
４２    貯蔵スペース
４３    移動ホイール
４４    支持部材
４５    第２延伸バー
４６    載置部
４６１  固定フレーム
４６２  ランドリーポール
４７    上昇部
４７１  可動支柱
４７２  固定凹溝
【図１】
0003150459.tif 000003
【図２】
0003150459.tif 000004
【図３】
0003150459.tif 000005
【図４】
0003150459.tif 000006
【図５】
0003150459.tif 000007
【図６】
0003150459.tif 000008
【図７】
0003150459.tif 000009
【図８】
0003150459.tif 000010